【事件の表示】
　国際登録第７４７１１３号に係る国際商標登録出願の拒絶査定に対する審判事件について、次のとおり審決する。
【結論】
　原査定を取り消す。
　本願商標は、登録すべきものとする。
【理由】
１　本願商標
　本願商標は、「ＮＯＲＤＥＡ」の文字を横書きしてなり、第９類、第３５類、第３６類及び第３８類に属する国際登録において指定された商品及び役務を指定商品及び指定役務として、２０００年５月２９日にＦｉｎｌａｎｄにおいてした商標登録出願に基づいてパリ条約第４条による優先権を主張し、２０００（平成１２）年１１月２３日を国際登録の日とするものである。
　そして、指定商品及び指定役務については、平成１３年１１月９日付けの手続補正書により、第９類「Ａｕｔｏｍａｔｅｄ　ｂａｎｋｉｎｇ　ｍａｃｈｉｎｅｓ，ａｕｔｏｍａｔｉｃ　ｂａｎｋ　ｎｏｔｅ　ｄｉｓｐｅｎｓｅｒｓ，ｂａｎｋ　ｃａｒｄｓ　ｉｎｃｏｒｐｏｒａｔｉｎｇ　ｍａｇｎｅｔｉｃ　ｏｒ　ｅｌｅｃｔｒｏｎｉｃ　ｄａｔａ　ｃａｒｒｉｅｒｓ，ｅｎｃｏｄｅｄ　ａｎｄ　ｍａｇｎｅｔｉｃ　ｂａｎｋ　ｃａｒｄｓ，ｂａｎｋ　ｃａｒｄｓ　ｂｅｉｎｇ　ｍａｃｈｉｎｅ　ｒｅａｄａｂｌｅ，ｅｌｅｃｔｒｏｎｉｃ　ｃａｒｄ　ｒｅａｄｅｒｓ　ｆｏｒ　ｃｒｅｄｉｔ　ｃａｒｄｓ，ｃｏｍｐｕｔｅｒ　ｔｅｒｍｉｎａｌｓ　ｆｏｒ　ｕｓｅ　ｗｉｔｈ　ｃｒｅｄｉｔ　ｃａｒｄｓ　ａｎｄ　ｂａｎｋ　ｃａｒｄｓ，ｅｎｃｏｄｅｄ　ａｎｄ　ｍａｇｎｅｔｉｃ　ｃｒｅｄｉｔ　ｃａｒｄｓ，ｅｎｃｏｄｅｄ　ａｎｄ　ｍａｇｎｅｔｉｃ　ｃｒｅｄｉｔ　ｃａｒｄｓ　ｆｏｒ　ｕｓｅ　ｉｎ　ｒｅｌａｔｉｏｎ　ｔｏ　ｅｌｅｃｔｒｏｎｉｃ　ｔｒａｎｓｆｅｒ　ｔｏ　ｆｕｎｄｓ　ａｎｄ　ｆｏｒ　ｕｓｅ　ｉｎ　ｒｅｌａｔｉｏｎ　ｔｏ　ｆｉｎａｎｃｉａｌ　ｔｒａｎｓａｃｔｉｏｎｓ，ａｐｐａｒａｔｕｓ　ｆｏｒ　ｐａｙｍｅｎｔ　ｗｉｔｈ　ｍａｇｎｅｔｉｃ　ｍｅｍｏｒｙ　ｃａｒｄｓ，ａｐｐａｒａｔｕｓ　ｆｏｒ　ｒｅｃｅｉｖｉｎｇ　ｃａｓｈ　ｐａｙｍｅｎｔｓ，ａｕｔｏｍａｔｉｃ　ｐａｙｍｅｎｔ　ｍａｃｈｉｎｅｓ，ｅｌｅｃｔｒｏｎｉｃ　ｉｄｅｎｔｉｆｉｃａｔｉｏｎ　ｃａｒｄｓ　ｆｏｒ　ｕｓｅ　ｉｎ　ｐａｙｉｎｇ　ｆｏｒ　ｓｅｒｖｉｃｅｓ，ｍａｃｈｉｎｅ　ｒｅａｄａｂｌｅ　ｅｌｅｃｔｒｏｎｉｃ　ｏｒ　ｍａｇｎｅｔｉｃ　ｄｅｖｉｃｅｓ　ｆｏｒ　ｃａｓｈｌｅｓｓ　ｐａｙｍｅｎｔ　ｓｙｓｔｅｍｓ，ｍａｇｎｅｔｉｃ　ａｎｄ　ｅｎｃｏｄｅｄ　ｐａｙｍｅｎｔ　ｃａｒｄｓ，ｐａｙｍｅｎｔ　ｃａｒｄｓ　ｉｎｃｏｒｐｏｒａｔｉｎｇ　ｄａｔａ　ｃａｒｒｉｅｒｓ，ｅｑｕｉｐｍｅｎｔ　ｆｏｒ　ｔｅｌｅｃｏｍｍｕｎｉｃａｔｉｏｎ　ａｎｄ　ｉｎｔｅｒａｃｔｉｖｅ　ｃｏｍｍｕｎｉｃａｔｉｏｎ，ｃｏｍｐｕｔｅｒ　ｃｏｍｍｕｎｉｃａｔｉｏｎｓ　ｓｏｆｔｗａｒｅ　ｔｏ　ａｌｌｏｗ　ｃｕｓｔｏｍｅｒｓ　ｔｏ　ａｃｃｅｓｓ　ｂａｎｋ　ａｃｃｏｕｎｔ　ｉｎｆｏｒｍａｔｉｏｎ　ａｎｄ　ｔｒａｎｓａｃｔ　ｂａｎｋｉｎｇ　ｂｕｓｉｎｅｓｓ，ｃｏｍｐｕｔｅｒ　ｅ−ｃｏｍｍｅｒｃｅ　ｓｏｆｔｗａｒｅ　ｆｏｒ　ｖｅｒｉｆｙｉｎｇ　ａｎｄ　ｆａｃｉｌｉｔａｔｉｎｇ　ｏｎ−ｌｉｎｅ　ｒｅｔａｉｌ　ｓａｌｅｓ　ａｎｄ　ｂｕｓｉｎｅｓｓ　ｔｏ　ｂｕｓｉｎｅｓｓ　ｔｒａｎｓａｃｔｉｏｎｓ，ｃｏｍｐｕｔｅｒ　ｅ−ｃｏｍｍｅｒｃｅ　ｓｏｆｔｗａｒｅ　ｔｏ　ａｌｌｏｗ　ｕｓｅｒｓ　ｔｏ　ｐｅｒｆｏｒｍ　ｅｌｅｃｔｒｏｎｉｃ　ｂｕｓｉｎｅｓｓ　ｔｒａｎｓａｃｔｉｏｎｓ　ｖｉａ　ａ　ｇｌｏｂａｌ　ｃｏｍｐｕｔｅｒ　ｎｅｔｗｏｒｋ　ｉｎ　ｉｎｔｅｒｎａｔｉｏｎａｌ　ｃｌａｓｓ　９．」、第３５類「Ａｄｖｅｒｔｉｓｉｎｇ；ｂｕｓｉｎｅｓｓ　ｍａｎａｇｅｍｅｎｔ；ｂｕｓｉｎｅｓｓ　ａｄｍｉｎｉｓｔｒａｔｉｏｎ；ｏｆｆｉｃｅ　ｆｕｎｃｔｉｏｎｓ．」、第３６類「Ａｃｃｅｐｔａｎｃｅ　ｏｆ　ｄｅｐｏｓｉｔ（ｉｎｃｌｕｄｉｎｇ　ｉｓｓｕａｎｃｅ　ｏｆ　ｂｏｎｄｓ　ｉｎ　ｓｕｂｓｔｉｔｕｔｉｏｎ　ｆｏｒ　ａｃｃｅｐｔａｎｃｅ　ｏｆ　ｄｅｐｏｓｉｔｓ），ａｎｄ　ａｃｃｅｐｔａｎｃｅ　ｏｆ　ｔｉｍｅ　ｄｅｐｏｓｉｔｓ；ｌｏａｎｉｎｇ　ｏｆ　ｆｕｎｄｓ　ａｎｄ　ｄｉｓｃｏｕｎｔｉｎｇ　ｏｆ　ｂｉｌｌｓ；ｆｉｎａｎｃｉａｌ　ｃｏｎｓｕｌｔａｎｃｙ，ｆｉｎａｎｃｉａｌ　ｅｖａｌｕａｔｉｏｎ（ｂａｎｋｉｎｇ，ｉｎｓｕｒａｎｃｅ，ｒｅａｌ　ｅｓｔａｔｅ），ｆｉｎａｎｃｉａｌ　ｍａｎａｇｅｍｅｎｔ，ｃａｐｉｔａｌ　ｉｎｖｅｓｔｍｅｎｔ，ｆｕｎｄ　ｉｎｖｅｓｔｍｅｎｔ，ｄｏｍｅｓｔｉｃ　ｅｘｃｈａｎｇｅ　ｔｒａｎｓａｃｔｉｏｎ；ｓｕｒｅｔｙ　ｏｆ　ｄｅｂｔｓ　ａｎｄ　ａｃｃｅｐｔａｎｃｅ　ｏｆ　ｂｉｌｌｓ，ｌｏａｎｉｎｇ　ｏｆ　ｓｅｃｕｒｉｔｉｅｓ，ａｃｑｕｉｒｉｎｇ　ａｎｄ　ａｓｓｉｇｎｉｎｇ　ｏｆ　ｃｒｅｄｉｔｓ，ｓａｆｅｋｅｅｐｉｎｇ　ｏｆ　ｓｅｃｕｒｉｔｉｅｓ，ｐｒｅｃｉｏｕｓ　ｍｅｔａｌｓ　ａｎｄ　ｏｔｈｅｒ　ａｒｔｉｃｌｅｓ，ｅｘｃｈａｎｇｉｎｇ　ｏｆ　ｍｏｎｅｙ，ａｃｃｅｐｔａｎｃｅ　ｏｆ　ｆｉｎａｎｃｉａｌ　ｆｕｔｕｒｅｓ　ｔｒａｎｓａｃｔｉｏｎｓ，ｕｎｄｅｒｗｒｉｔｉｎｇ　ｏｆ　ｔｒｕｓｔ　ｏｆ　ｍｏｎｅｙ，ｓｅｃｕｒｉｔｉｅｓ，ｃｒｅｄｉｔｓ，ｐｅｒｓｏｎａｌ　ｅｓｔａｔｅ，ｌａｎｄ　ｏｒ　ｆｉｘｔｕｒｅｓ　ｔｈｅｒｅｏｎ，ｏｒ　ｓｕｒｆａｃｅ　ｒｉｇｈｔｓ　ｏｒ　ｌａｎｄ　ｌｅａｓｉｎｇ　ｒｉｇｈｔｓ，ａｃｃｅｐｔａｎｃｅ　ｏｆ　ｏｆｆｅｒｉｎｇ　ｏｆ　ｂｏｎｄｓ，ｆｏｒｅｉｇｎ　ｅｘｃｈａｎｇｅ　ｔｒａｎｓａｃｔｉｏｎ，ｂｕｓｉｎｅｓｓ　ｒｅｌａｔｉｎｇ　ｔｏ　ｌｅｔｔｅｒｓ　ｏｆ　ｃｒｅｄｉｔ，ｔｒａｄｉｎｇ　ｏｆ　ｓｅｃｕｒｉｔｉｅｓ，ｓｅｃｕｒｉｔｉｅｓ　ｉｎｄｅｘ　ｆｕｔｕｒｅｓ　ｔｒａｎｓａｃｔｉｏｎ，ｓｅｃｕｒｉｔｉｅｓ　ｏｐｔｉｏｎｓ　ｔｒａｎｓａｃｔｉｏｎ，ａｎｄ　ｆｏｒｅｉｇｎ　ｍａｒｋｅｔ　ｓｅｃｕｒｉｔｉｅｓ　ｆｕｔｕｒｅｓ　ｔｒａｎｓａｃｔｉｏｎ，ｍｅｄｉａｔｉｏｎｓ，ｔｒａｎｓｍｉｓｓｉｏｎｓ，ｏｒ　ａｇｅｎｃｉｅｓ　ｆｏｒ　ｔｒａｄｉｎｇ　ｏｆ　ｓｅｃｕｒｉｔｉｅｓ，ｓｅｃｕｒｉｔｉｅｓ　ｉｎｄｅｘ　ｆｕｔｕｒｅｓ　ｔｒａｎｓａｃｔｉｏｎ，ｓｅｃｕｒｉｔｉｅｓ　ｏｐｔｉｏｎｓ　ｔｒａｎｓａｃｔｉｏｎ，ａｎｄ　ｆｏｒｅｉｇｎ　ｍａｒｋｅｔ　ｓｅｃｕｒｉｔｉｅｓ　ｆｕｔｕｒｅｓ　ｔｒａｎｓａｃｔｉｏｎｓ，ｍｅｄｉａｔｉｏｎｓ，ｔｒａｎｓｍｉｓｓｉｏｎｓ，ｏｒ　ａｇｅｎｃｉｅｓ　ｆｏｒ　ｅｎｔｒｕｓｔｍｅｎｔ　ｏｆ　ｔｒａｄｉｎｇ　ｏｆ　ｓｅｃｕｒｉｔｉｅｓ　ａｎｄ　ｆｏｒｅｉｇｎ　ｍａｒｋｅｔ　ｓｅｃｕｒｉｔｉｅｓ　ｆｕｔｕｒｅｓ　ｔｒａｎｓａｃｔｉｏｎｓ　ｉｎ　ｔｈｅ　ｓｅｃｕｒｉｔｉｅｓ　ｍａｒｋｅｔｓ，ｍｅｄｉａｔｉｏｎｓ，ｔｒａｎｓｍｉｓｓｉｏｎｓ，ｏｒ　ａｇｅｎｃｉｅｓ　ｆｏｒ　ｅｎｔｒｕｓｔｍｅｎｔ　ｏｆ　ｔｒａｄｉｎｇ　ｏｆ　ｓｅｃｕｒｉｔｉｅｓ　ａｎｄ　ｆｏｒｅｉｇｎ　ｍａｒｋｅｔ　ｓｅｃｕｒｉｔｉｅｓ　ｆｕｔｕｒｅｓ　ｔｒａｎｓａｃｔｉｏｎｓ　ｉｎ　ｆｏｒｅｉｇｎ　ｓｅｃｕｒｉｔｉｅｓ　ｍａｒｋｅｔｓ，ｕｎｄｅｒｗｒｉｔｉｎｇ　ｏｆ　ｓｅｃｕｒｉｔｉｅｓ，ｓｅｃｏｎｄａｒｙ　ｏｆｆｅｒｉｎｇ　ｏｆ　ｓｅｃｕｒｉｔｉｅｓ，ｈａｎｄｌｉｎｇ　ｏｆ　ｏｆｆｅｒｉｎｇ　ｏｒ　ｓｅｃｏｎｄａｒｙ　ｏｆｆｅｒｉｎｇ　ｏｆ　ｓｅｃｕｒｉｔｉｅｓ，ｓｅｃｕｒｉｔｉｅｓ　ｂｒｏｋｅｒａｇｅ，ｓｔｏｃｋｓ　ａｎｄ　ｂｏｎｄｓ　ｂｒｏｋｅｒａｇｅ，ｏｆｆｅｒｉｎｇ　ｏｆ　ｉｎｆｏｒｍａｔｉｏｎ　ｒｅｌａｔｉｎｇ　ｔｏ　ｓｔｏｃｋ　ｍａｒｋｅｔ　ｃｏｎｄｉｔｉｏｎｓ，ｓｕｒｖｅｙｓ　ｏｎ　ｃｒｅｄｉｔ　ｏｆ　ｂｕｓｉｎｅｓｓ　ｅｎｔｅｒｐｒｉｓｅｓ；ｍｅｄｉａｔｉｏｎｓ　ｆｏｒ　ｆｉｎａｌｉｚｉｎｇ　ｌｉｆｅ　ｉｎｓｕｒａｎｃｅ　ｃｏｎｔｒａｃｔ，ｌｉｆｅ　ｉｎｓｕｒａｎｃｅ　ｕｎｄｅｒｗｒｉｔｉｎｇ，ａｇｅｎｃｉｅｓ　ｆｏｒ　ｆｉｎａｌｉｚｉｎｇ　ｐｒｏｐｅｒｔｙ　ｉｎｓｕｒａｎｃｅ　ｃｏｎｔｒａｃｔ，ａｓｓｅｓｓｍｅｎｔ　ｏｆ　ｄａｍａｇｅ　ｒｅｌａｔｉｎｇ　ｔｏ　ｐｒｏｐｅｒｔｙ　ｉｎｓｕｒａｎｃｅ　ｃｏｎｔｒａｃｔ，ｐｒｏｐｅｒｔｙ　ｉｎｓｕｒａｎｃｅ　ｕｎｄｅｒｗｒｉｔｉｎｇ，ｈｅａｌｔｈ　ｉｎｓｕｒａｎｃｅ　ｕｎｄｅｒｗｒｉｔｉｎｇ，ｉｎｓｕｒａｎｃｅ　ｂｒｏｋｅｒａｇｅ，ｉｎｓｕｒａｎｃｅ　ｃｏｎｓｕｌｔａｎｃｙ，ａｃｔｕａｒｉａｌ　ｓｅｒｖｉｃｅｓ　ｆｏｒ　ｉｎｓｕｒａｎｃｅ　ｐｒｅｍｉｕｍ　ｒａｔｅｓ；ｍａｎａｇｅｍｅｎｔ　ｏｆ　ｂｕｉｌｄｉｎｇｓ，ａｇｅｎｃｉｅｓ　ｏｒ　ｍｅｄｉａｔｉｏｎｓ　ｆｏｒ　ｌｅａｓｉｎｇ　ｏｆ　ｂｕｉｌｄｉｎｇｓ，ｂｕｙｉｎｇ　ａｎｄ　ｓｅｌｌｉｎｇ　ｏｆ　ｂｕｉｌｄｉｎｇｓ，ａｇｅｎｃｉｅｓ　ｏｒ　ｍｅｄｉａｔｉｏｎｓ　ｆｏｒ　ｔｒａｄｉｎｇ　ｏｆ　ｂｕｉｌｄｉｎｇ，ａｐｐｒａｉｓａｌ　ｏｆ　ｂｕｉｌｄｉｎｇｓ　ｏｒ　ｌａｎｄ，ｍａｎａｇｅｍｅｎｔ　ｏｆ　ｌａｎｄ，ａｇｅｎｃｉｅｓ　ｏｒ　ｍｅｄｉａｔｉｏｎｓ　ｆｏｒ　ｌｅａｓｉｎｇ　ｏｆ　ｌａｎｄ，ｌｅａｓｉｎｇ　ｏｆ　ｌａｎｄ，ｂｕｙｉｎｇ　ａｎｄ　ｓｅｌｌｉｎｇ　ｌａｎｄ，ａｇｅｎｃｉｅｓ　ｏｒ　ｍｅｄｉａｔｉｏｎｓ　ｆｏｒ　ｂｕｙｉｎｇ　ａｎｄ　ｓｅｌｌｉｎｇ　ｌａｎｄ，ｏｆｆｅｒｉｎｇ　ｏｆ　ｉｎｆｏｒｍａｔｉｏｎ　ｒｅｌａｔｉｎｇ　ｔｏ　ｂｕｉｌｄｉｎｇｓ　ｏｒ　ｌａｎｄ．」及び第３８類「Ｔｅｌｅｃｏｍｍｕｎｉｃａｔｉｏｎｓ．」と補正されたものである。
２　原査定の拒絶理由の要点
　原査定は、「本願商標は、登録第２２７８３４３号商標（以下「引用商標」という。）と同一又は類似であって、同一又は類似の商品及び役務について使用をするものであるから、商標法第４条第１項第１１号に該当する。」旨認定、判断し、本願を拒絶したものである。
３　当審の判断
　引用商標の商標権は、商標登録原簿の記載によれば、取消審判の請求があった結果、商標権を取り消すべき旨の審決が平成１４年１１月２０日に確定し、商標権の抹消の登録が同年１２月１８日にされているものである。
　したがって、本願商標が商標法第４条第１項第１１号に該当するとした原査定の拒絶の理由は、解消した。
　その他、政令で定める期間内に本願を拒絶すべき理由を発見しない。
　よって、結論のとおり審決する。